(57)【特許請求の範囲】
【請求項１】
給紙、印刷ユニット（乾燥も含む）、折機等からなる輪転印刷機の折機において、前記折機は爪胴，咥胴およびそれらの一方の上部又は両方の上部に設けられた刷本ガイドからなり、該刷本ガイドは前記爪胴，咥胴の円周方向に沿っており、かつ、長手方向に対して前記刷本ガイドの中央部が前記爪胴，咥胴の表面から離れる方向に湾曲していることを特徴とする折機。
【請求項２】
請求項１の折機において、前記刷本ガイドには刷本のサイズ、紙の種類（性質）、刷本の頁数のデータにより、形状を変更する手段を具備することを特徴とする折機。
【請求項３】
給紙、印刷ユニット（乾燥も含む）、折機等からなる輪転印刷機において、前記請求項１または請求項２記載のいずれかの折機を具備したことを特徴とする輪転印刷機。
【発明の詳細な説明】
【０００１】
【発明の属する技術分野】
本発明は輪転印刷機の折機およびそれを具備した輪転印刷機に関するものである。
【０００２】
【従来の技術】
従来の輪転印刷機に装備されている爪胴及び咥胴を有する折機の刷本ガイドは、前記胴の上部で該胴の円周方向及び軸方向に均一な間隔を保っていた。そのため、爪胴及び／または咥胴に咥られた刷本が前記刷本ガイドの部分を通過する時、咥尻が風圧でなびいて、折れたり，曲がったり，叩かれキズが付いたりのトラブルが発生していた。特に近年印刷機の印刷スピードが大幅にアップし、毎秒１５ｍの高速印刷も可能になってきている現状では、折機ガイド部でのトラブルが多発している。
【０００３】
【発明が解決しようとする課題】
本発明は、以上の問題点を解決すべく、輪転印刷機において、刷本が折れ，曲がり，叩かれキズ等のトラブルが発生せずに高速に処理できる折機及びそれを具備した輪転印刷機を提供することを課題とする。
【０００４】
【課題を解決するための手段】
本発明は、上記課題を解決するために、給紙、印刷ユニット（乾燥も含む）、折機等からなる輪転印刷機の折機において、前記折機は爪胴，咥胴およびそれらの一方の上部又は両方の上部に設けられた刷本ガイドからなり、該刷本ガイドは前記爪胴，咥胴の円周方向に沿っており、かつ、長手方向に対して前記刷本ガイドの中央部が前記爪胴，咥胴の表面から離れる方向に湾曲している折機である。上記のように、輪転印刷機の爪胴や咥胴の上部の刷本ガイドの形状を、長手方向から見て前記刷本ガイドの中央部が前記爪胴や咥胴表面より離れる方向に湾曲させることで、刷本の折れ，曲がり，叩かれキズ等のトラブルが発生しないことを見出したものである。ここで湾曲という言葉を用いたが、中央部が一番離れていればどのような直線または曲線で端と結ぶ形状は含むものとする。
また、上記の折機において、前記刷本ガイドには刷本のサイズ、紙の種類（性質）、刷本の頁数のデータにより、形状を変更する手段を具備する折機である。
【０００５】
さらに、給紙、印刷ユニット（乾燥も含む）、折機等からなる輪転印刷機において、上記したいずれかの折機を具備した輪転印刷機である。
【０００６】
【発明の実施の形態】
請求項１の発明は、給紙、印刷ユニット（乾燥も含む）、折機等からなる輪転印刷機の折機において、前記折機は爪胴，咥胴およびそれらの一方の上部又は両方の上部に設けられた刷本ガイドからなり、該刷本ガイドは前記爪胴，咥胴の円周方向に沿っており、かつ、長手方向に対して前記刷本ガイドの中央部が前記爪胴，咥胴の表面から離れる方向に湾曲している折機である。図１は折機の要部の正面説明図である用紙の流れ方向にスリットされ重ねられた印刷物１が断裁ロール２で折られる単位の刷本となり爪胴３に咥られ、該咥られた刷本の流れ方向の約中央部で爪胴３の差し刃と咥胴の咥で折と同時に刷本を咥るものである。この時、爪胴で咥る刷本は頁編成により１６頁分を一回咥る場合と２回分（３２頁）を咥てから折場合等色々ある。（３回分も可能）
複数回分を咥る場合は爪胴の周りを刷本を咥たまま一周するので、爪胴の上にも刷本ガイドが必要になる。単に一回分を咥る場合は、咥胴の上に刷本ガイドがあればよい。
【０００７】
刷本ガイド５は正面から見ると爪胴３と咥胴４の円周に沿って設けられている。図２は側面から見た咥胴４と刷本６と刷本ガイド５との関係を示す説明図である。図のように刷本６の中央部が上に上がり端部が下がった形をしているものである。図のガイドはスリット状の隙間があいているが、これに限定されるものではない。隙間はなくても材質を変形しやすいものを使用すればよい。
【０００８】
請求項２の発明は、上記の折機において、前記刷本ガイドには刷本のサイズ、紙の種類（性質）、刷本の頁数のデータにより、形状を変更する手段を具備する折機である。
刷本ガイドの形状は、刷本の大きさに合わせて、例えば端部で１０ｍｍ離し、中央部で２０ｍｍ離すように設定する。
また、頁数が多くて硬いか材質により硬い刷本は、端部で１０ｍｍ離し、中央部で１５ｍｍ離す。反対に頁数が少なくて柔らかいか材質により柔らかい刷本は、端部で１０ｍｍ離し、中央部で２０ｍｍ離す等調整するものである。
この値は紙質，刷本の厚さにより、爪胴や咥胴の表面から端部で５〜１５ｍｍ離し、中央部で１５〜３０ｍｍ離すことで調整できる。
【０００９】
前記刷本ガイドの形状を変更する手段は、特に限定されないが、例えば、図４に示すように、支持部材７に雌ネジを切りそこに螺合する雄ネジを切ったシャフト８の下端に、シャフト８とは固定することなく支持した構成とし、前記シャフト８を回転させて刷本ガイド５の上下方向の位置調整を行なうこともできる。また、シャフトに数ミリおきに貫通する穴を開け、適当な位置でピンを通して固定する等可能である。
【００１０】
さらに、コンピュータを用いて、データをインプットする手段、該データを記憶する手段、該データの組合せと刷本ガイドの基本的な形状の組合せを記憶する記憶手段、該記憶されたデータから刷本ガイドの形状を決定する手段、その決定された刷本ガイドの形状の信号を発する手段、該信号により刷本ガイドの位置を制御する制御手段を具備させることにより、自動的に刷本ガイドの位置を合わせる装置とすることも可能である。位置制御手段は図４の雄ネジを切ったシャフト８の上方にステップモータ等を設けて制御可能である。
【００１１】
請求項３の発明は、上記した請求項１または請求項２のいずれかの折機を具備した輪転印刷機である。
このような折機を設けた輪転印刷機は、高速で印刷しても折れ，曲がり，叩かれるキズ等が発生しないものである。
【００１２】
【実施例】
以下図面を用いて本発明の実施例を説明する。
＜実施例１＞
図５に本発明の一実施例である折機の概要説明図を示した。これはグラビア輪転機用の折機であり、特に３２頁折や４８頁折等の頁数の多いものに適している待期折（コレクト折）が可能なものである。印刷物１が流れ方向にスリットされ重なって流れてきたものを、１６頁単位でカッターローラ２でカットし、爪胴３の爪で咥て、そのまま一回転次の１６頁と一緒に爪で咥て３２頁とするものである。その３２頁としたものを爪胴３の差し刃と咥胴４の咥の部分で折ると同時に刷本を咥て、咥胴４の周囲のベルト９で搬送されるものである。（差し刃、咥は周知の構造であるので図では省略した）
爪胴３の周囲（上部を除き）もベルト９とベルトを回転するための駆動ローラ１０および駆動のないローラで搬送される機構となっている。
爪胴３の上部には刷本ガイド５が装備されている。この刷本ガイド５は外観が図３のようになっているものである。そして、側面から見ると図４のようになっているものである。該刷本ガイド５の内側は、すべり易いテフロン加工がしてある。または、柔らかいブラシを設けてもよい。
【００１３】
坪量１００ｇの中質コート紙を使用して、Ａ４サイズ３２頁の刷本をグラビア多色輪転機（表４色、裏４色）で印刷し折出した。刷本ガイドの設定は刷本の端部で爪胴３の表面より１０ｍｍ、刷本の中央部で１５ｍｍとした。この条件で印刷を行なったが、折機部で折れ，曲がり，叩かれによるキズの発生は見られなかった。
【００１４】
＜実施例２＞
図５に本願発明の折機を具備した輪転印刷機１１の概要説明図を示した。輪転印刷機１１は２階建て建物の１階と２階を使用して設置されている。１階に巻取りを供給する給紙部１３とメインモータ１４があり、２階に８色分の印刷ユニット１２が設置され、該印刷ユニット１２には版胴１６が取りつけられる。印刷ユニット１２で印刷された印刷物は折機１５に導かれる。折機１５の下部をＸ方向から見た図が第５図である。この輪転印刷機で上記の条件で印刷を行なったところ、同様な結果を得た。
本実施例はグラビア輪転印刷機に本願発明の折機を取りつけた例を示したが、輪転機はグラビアに限定されることはなく、オフセット輪転機，活版輪転機，フレキソ輪転機等使用可能であることは言うまでもない。
【００１５】
【発明の効果】
請求項１の発明は、爪胴，咥胴および刷本ガイドを有する折機において、該刷本ガイドの形状を図３のように、正面（円形に見える）から見て円周に沿っていて、側面から見ると中央部が上方に湾曲した形状をしているので、刷本の折れ，曲がり，叩かれによるキズ等が防止され、折機部における不良品が激減し印刷能率が上がる。
請求項２の発明は、上記折機の刷本ガイドの形状を、刷本のサイズ，刷本の頁数，用紙の性質等により、変更する手段を有するので常に適正な条件で刷本ガイドを設定可能である。
請求項３の発明は、請求項１または請求項２の折機を装備した輪転印刷機であり、上記の効果のある折機を設けたことにより、高速で印刷しても刷本の折れ，曲がり，叩かれによるキズ等が防止され、折機部における不良品が激減し印刷能率が上がるものである。
【図面の簡単な説明】
【図１】本発明の一実施の形態を示す正面説明図である。
【図２】本発明の一実施の形態を示す側面説明図である。
【図３】本発明の一実施の形態を示す刷本ガイドの説明図である。
【図４】本発明の一実施例を示す刷本ガイドの側面説明図である。
【図５】本発明の一実施例を示す折機の正面説明図である。
【図６】本発明の折機を具備した輪転印刷機の一実施例を示す概要説明図である。
【符号の説明】
１…印刷物  ２…断裁ローラ  ３…爪胴  ４…咥胴  ５…刷本ガイド  ６…刷本
７…支持部材  ８…シャフト  ９…ベルト  １０…駆動ローラ
１１…輪転印刷機  １２…印刷ユニット  １３…給紙部  １４…メインモータ
１５…折機  １６…版胴
【図１】
0003658814.tif 000002
【図２】
0003658814.tif 000003
【図３】
0003658814.tif 000004
【図４】
0003658814.tif 000005
【図５】
0003658814.tif 000006
【図６】
0003658814.tif 000007